(57)【要約】【課題】飲み物の滴による被服等が汚れを防止する容器を提供する。【解決手段】グラス２は、収容空間１０Ｘを備える収容部１０と、収容部１０よりも上方に位置し収容空間１０Ｘと連通する開口２０Ｘを備える開口部２０と、収容部１０を支える脚部３０と、を備える。開口部２０は、筒状となっており、開口外面２０Ｇに形成された流路２１と、流路２１の下方に配された開口側吸水部材２２と、開口外面２０Ｇにおいて流路２１の下方に形成される開口側保持窪み２３と、を備える。流路２１は、開口２０Ｘから開口側保持窪み２３に向かって上下方向にのびる。流路２１の形状は、付着した飲み物の滴が、開口側吸水部材２２に向かって流れるようなものとなっている。開口側吸水部材２２は、吸水可能な材料であればよく、例えば、フェルト、スポンジや布等を使用することができる。【選択図】図１
2019201825.tif 000002
【特許請求の範囲】
【請求項１】
液体を収容する収容空間と、前記収容空間の開口とが形成された容器であって、
前記容器の外面のうち、前記開口よりも下側に配され開口側吸水部材が装着可能な開口側保持窪みと、
前記開口と前記開口側保持窪みとの間の前記容器の外面に形成された流路と、を備え、
前記流路に付着した液体は前記開口側保持窪みに向かって流れることを特徴とする容器。
【請求項２】
請求項１に記載の開口側保持窪みに対して装着可能な吸水部材であって、
蛍光性または発光性を有することを特徴とする吸水部材。
【請求項３】
請求項１に記載の開口側保持窪みに対して装着可能な吸水部材であって、
第１色の吸水部材と、
前記第１色とは異なる第２色の吸水部材と、を備えたことを特徴とする吸水部材セット。
【請求項４】
請求項１記載の容器と、
前記容器の前記開口側保持窪みに装着可能な吸水部材を備えたことを特徴とする吸水部材付容器。
【発明の詳細な説明】
【技術分野】
【０００１】
本発明は、液体を収容可能な容器、吸水部材、吸水部材セット及び吸水部材付容器に関する。
【背景技術】
【０００２】
夏場において冷たい飲み物を飲む際、結露によって、容器の外面に水滴が発生することがある。この水滴が外面に残っていると、被服等に付着してしまう。このため、水滴の付着を可能にするコップ（特許文献１）等が知られている。
【先行技術文献】
【特許文献】
【０００３】
【特許文献１】実開平１-27064号公報
【発明の概要】
【発明が解決しようとする課題】
【０００４】
ところで、飲み物を飲んだ後や液体を注いだ後、容器の開口の縁に飲み物等の滴が付着する、または、開口の縁から滴が流下することがある。このような滴が手に付着してしまうと、被服、スマートフォンやリモコン等が飲み物等で汚れることとなる。また、被服等に対して滴が直接付着することによって、被服等が汚れてしまう。
【０００５】
本発明は、斯かる実情に鑑み、滴による被服等の汚れを防止する吸水部材付容器、さらに、この部品となる容器、吸水部材及び吸水部材セットを提供しようとするものである。
【課題を解決するための手段】
【０００６】
本発明は、液体を収容する収容空間と、前記収容空間の開口とが形成された容器であって、前記容器の外面のうち、前記開口よりも下側に配され開口側吸水部材が装着可能な開口側保持窪みと、前記開口と前記開口側保持窪みとの間の前記容器の外面に形成された流路と、を備え、前記流路に付着した液体は前記開口側保持窪みに向かって流れることを特徴とする。また、本発明の吸水部材は、上記の開口側保持窪みに対して装着可能な吸水部材であって、蛍光性または発光性を有する。また、本発明の吸水部材セットは、第１色の吸水部材と前記第１色とは異なる第２色の吸水部材と、を備えたことを特徴とする。さらに、本発明の吸水部材付容器は、上記の容器と、前記容器の前記開口側保持窪みに装着可能な吸水部材を備えたことを特徴とする。
【発明の効果】
【０００７】
本発明によれば、滴による被服等の汚れを防止する吸水部材付容器を提供することができる。さらに、この吸水部材付容器の部品となる容器、吸水部材及び吸水部材セットを提供することができる。
【図面の簡単な説明】
【０００８】
【図１】第１のグラスの概要を示す説明図である。
【図２】第１のグラスのＩＩ−ＩＩ’線断面図である。なお、開口側吸水部材や収容側吸水部材は、図の煩雑化を防ぐため省略している。
【図３】第１のグラスのＩＩＩ−ＩＩＩ’線断面図である。
【図４】開口側吸水部材の概要を示す説明図である。
【図５】収容側保持窪み及び収容側吸水部材の概要を示す断面図である。
【図６】第１のグラスの周面の概要を示すため展開図である。
【図７】コップの概要を示す説明図である。
【図８】（Ａ）は、第２のグラスの概要を示す説明図である。（Ｂ）は、第２のグラスの周面の概要を示すため展開図である。
【図９】（Ａ）は、第３のグラスの概要を示す説明図である。（Ｂ）は、第３のグラスの周面の概要を示すため展開図である。
【図１０】（Ａ）は、第４のグラスの概要を示す説明図である。（Ｂ）は、第４のグラスの周面の概要を示すため展開図である。
【図１１】（Ａ）は、第５のグラスの概要を示す説明図である。（Ｂ）は、第５のグラスの周面の概要を示すため展開図である。
【発明を実施するための形態】
【０００９】
図１〜３に示すように、グラス２は、飲み物等の液体を収容する収容空間１０Ｘと、収容空間１０Ｘの開口２０Ｘとが形成される。以下、説明の便宜上、グラス２のうち、上部から下部にかけて、開口２０Ｘを含む部分を開口部２０と、開口部２０の下側に位置する部分を収容部１０と、収容部１０を支える脚部３０と、して説明する。
【００１０】
開口部２０はグラス２の上部に位置するものであり、開口２０Ｘは、飲み口や注ぎ口となる。また、開口部２０の肉厚は、用途に応じて適宜設定すればよいが、例えば、０．２ｍｍ以上１．０ｍｍ以下である。
【００１１】
開口部２０は、筒状となっており、開口外面２０Ｇに形成された流路２１と、流路２１の下方に配された開口側吸水部材２２と、開口外面２０Ｇにおいて流路２１の下方に形成される開口側保持窪み２３と、を備える。
【００１２】
流路２１は、開口２０Ｘから開口側保持窪み２３に向かって上下方向にのびる。流路２１の上端は、開口２０Ｘに対して接続しており、流路２１の下端は、開口側保持窪み２３と接続している。なお、流路２１の上端は、本発明の趣旨に反しない限りにおいて、開口２０Ｘから離れていてもよい。同様に、流路２１の下端は、開口側保持窪み２３から離れていてもよい。
【００１３】
流路２１の形状は、付着した飲み物等の滴が、開口側吸水部材２２に向かって流れるようなものとなっている。このため、流路２１の底面の傾きは、垂直であることが好ましいし、少なくとも、後述する収容外面１０Ｇよりも垂直に近い方が好ましい。流路２１の幅は、上方から下方に向かうにしたがって漸減していることが好ましい。流路２１の深さは、例えば、０．８mm以上１．０mm以下であり、開口側保持窪み２３の深さよりも浅くてもよい。
【００１４】
開口側吸水部材２２は、吸水可能な材料であればよく、例えば、フェルト、スポンジや布等を使用することができる。開口側吸水部材２２の設けられる位置は、開口部２０より下側であって、開口につけた口の邪魔にならない程度であればよく、開口部２０から開口側吸水部材２２までの距離は、例えば、２０ｍｍ以上４０ｍｍ以下である。
【００１５】
図４に示すように、開口側吸水部材２２の形状としては、紐状のもの（図４（Ａ））、球状のもの（図４（Ｂ）〜４（Ｃ））、リボン状のもの（図４（Ｄ））等いずれでもよい。また、開口側吸水部材２２の表面としては、起毛しているもの（図４（Ｂ））や、そうでないもの（図４（Ｃ））のいずれでもよい。
【００１６】
図１〜３に戻って、収容部１０はグラス２の中間部に位置するものであり、開口部２０に対して連接する。収容部１０は、有底筒状となっており、肉厚は、特に限定されないが、開口部２０と同程度であってもよいし、異なっていてもよい。
【００１７】
収容部１０は、収容外面１０Ｇに配される収容側吸水部材１２と、収容外面１０Ｇに形成され収容側吸水部材１２を保持可能な収容側保持窪み１３と、を備える。なお、収容側保持窪み１３に取り付けられた収容側吸水部材１２は、収容外面１０Ｇよりも突出することが好ましい（図５）。これにより、滑り止めの効果を期待できる。
【００１８】
開口側保持窪み２３や収容側保持窪み１３は、それぞれの吸水部材を保持可能な形状となっている。開口側保持窪み２３や収容側保持窪み１３の深さは、例えば、２mm以上６mm以下である。
【００１９】
図６に示すように、開口側吸水部材２２のレイアウトとしては、水平に伸びることが好ましい。また、収容側吸水部材１２のレイアウトとしては、水平に伸びることが好ましい。
【００２０】
脚部３０は、グラス２の下部に位置するものであり、脚側吸水部材３２を保持可能な脚側保持窪み（図示省略）と、を備えていてもよい（図１等）。
【００２１】
このグラス２によれば、開口外面２０Ｇに形成された流路２１と、流路２１の下方に配された開口側吸水部材２２と、を備えるため、飲み物を飲んだ際や液体を注いだ際、飲み物等の滴は、流路２１を通って、開口側吸水部材２２にて吸い取られる。結果、飲み物等の滴が被服等に付着することを防止できる。よって、グラス２によれば、飲み物による被服等の汚れを防止することができる。
【００２２】
さらに、グラス２は、開口側吸水部材２２を保持可能な開口側保持窪み２３を備えるため、開口側吸水部材２２をグラス２から取り外すこともできる。このため、使用後は、開口側吸水部材２２をグラス２から外して別途洗って乾燥して再利用することが可能となる。
【００２３】
また、グラス２は、収容側吸水部材１２と、収容側保持窪み１３と、を備えるため、結露等で生じた滴を収容側吸水部材１２に付着することができる。これにより、滴による滑りを防止することができる。さらに、収容側吸水部材１２は、収容外面１０Ｇよりも突出するため、滑り止めとしても機能する。
【００２４】
また、開口側吸水部材２２は、蛍光性や発光性を有することが好ましい。例えば、吸水性を有する材料に蛍光塗料を担持させてもよい。また、開口側吸水部材２２に対して、ＬＥＤ等の照明具を設けてもよい。これにより、暗いところにおいてもグラス２の上端の位置の視認性が高くなるため、不意の動作等によってグラス２を倒さずに済む。ＬＥＤ等の照明具を設ける場合、照明具のＯＮ-ＯＦＦを制御する制御デバイス及び電力を供給するバッテリーが必要になる。照明具に対する制御信号の送信方法や電力の供給方法は、有線を用いてもよいし、無線を用いてもよい。なお、開口側吸水部材２２として、反射塗料を有してもよい。
【００２５】
開口側吸水部材２２や収容側吸水部材１２の色は、飲み物の色に併せてもよいし、飲み物の色とは異なる色としてもよい。前者の場合、開口側吸水部材２２等における滴の付着跡が目立たなくて済む。後者の場合、例えば、黒や濃い色とすることにより、滴の付着跡が目立たなくて済む。
【００２６】
また、グラスマーカとして利用する場合には、使用する複数の開口側吸水部材２２は、それぞれ異なる色としてもよい。同様に、使用する複数の収容側吸水部材１２は、それぞれ異なる色としてもよい。したがって、グラスマーカとして使用する場合は、異なる色の吸水部材をセットとして製造、販売してもよい。
【００２７】
上記実施形態では、グラス２を用いて説明したが、本発明はこれに限られない。以下、変形例を示すが、上記実施形態と異なる部分のみを説明し、同一の部材には同様の符号を付し祖の説明を省略する。本発明としては、グラス２の代わりにマグカップ４（図７）や、コップ（ガラス製のコップや紙製のコップ等）等の容器についても利用できる。
【００２８】
上記実施形態では、開口側吸水部材２２や収容側吸水部材１２は、水平に伸びるとしたが、本発明はこれに限られない。例えば、図８に示すように、収容側吸水部材１２はグラス２に対して螺旋状に延びていてもよい。また、図９〜１０に示すように、収容側吸水部材１２はグラス２の周面に対して屈曲するように延びていてもよい。さらに、図１１に示すように、収容側吸水部材１２は円状に形成されてもよい。また、収容側吸水部材１２のレイアウトとしては、水玉模様となるように互いに離れるようにして配されてもよい。
【００２９】
なお、各窪みの開口における幅は、当該窪みの中間部の幅よりも小さい方が好ましい。言い替えると、各窪みの開口縁は、当該窪みの中間部よりも突出することが好ましい。これにより、当該窪みの中間部に収容された吸水部材は、開口部分の突出部によって、保持される。すなわち、当該窪みにおける吸水部材の保持が安定する。また、当該窪みに対する着脱操作を考慮すると、吸水部材は、弾性を有することが好ましい。
【００３０】
なお、本発明の趣旨に反しない限りにおいて、流路２１の幅は、上方から下方に向かうにしたがって一定としてもよい。
【００３１】
なお、開口側保持窪み２３に取り付けられた開口側吸水部材２２は、収容側吸水部材１２（図６）と同様に、開口外面２０Ｇよりも突出することが好ましい。これにより、滑り止めの効果を期待できる。
【００３２】
尚、本発明は、上記した実施の形態に限定されるものではなく、本発明の要旨を逸脱しない範囲内において種々変更を加え得ることは勿論である。
【符号の説明】
【００３３】
２     グラス
４     マグカップ
１０   収容部
１０Ｇ 収容外面
１０Ｘ 収容空間
１２   収容側吸水部材
１３   収容側保持窪み
２０   開口部
２０Ｇ 開口外面
２０Ｘ 開口
２１   流路
２２   開口側吸水部材
２３   開口側保持窪み
【図１】
2019201825.tif 000003
【図２】
2019201825.tif 000004
【図３】
2019201825.tif 000005
【図４】
2019201825.tif 000006
【図５】
2019201825.tif 000007
【図６】
2019201825.tif 000008
【図７】
2019201825.tif 000009
【図８】
2019201825.tif 000010
【図９】
2019201825.tif 000011
【図１０】
2019201825.tif 000012
【図１１】
2019201825.tif 000013
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
液体を収容する収容空間と、前記収容空間の開口とが形成された容器であって、
前記容器の外面のうち、前記開口よりも下側に配され開口側吸水部材が装着可能な開口側保持窪みと、
前記開口と前記開口側保持窪みとの間の前記容器の外面に形成された流路と、
前記容器の前記開口側保持窪みに着脱自在に装着可能な吸水部材と、を備え、
前記吸水部材は、紐状部又は球状部を備え、
前記流路は、前記容器の外面に対して凹むように形成されるとともに、前記開口から前記開口側保持窪みに向かうように延び、
前記流路に付着した液体は前記開口側保持窪みに向かって流れ、
前記容器は、
前記開口を備える縁部と、
底を備える下部と、
前記下部と前記縁部との間の中部とを備え、
前記開口は、飲み口であって、
前記開口側保持窪みは、前記縁部に形成され、
前記流路は前記開口に対して連なっていることを特徴とする容器。
【請求項２】
液体を収容する収容空間と、前記収容空間の開口とが形成された容器であって、
前記容器の外面のうち、前記開口よりも下側に配され開口側吸水部材が装着可能な開口側保持窪みと、
前記開口と前記開口側保持窪みとの間の前記容器の外面に形成された流路と、
前記容器の前記開口側保持窪みに着脱自在に装着可能な吸水部材と、を備え、
前記吸水部材は、紐状部又は球状部を備え、
前記流路に付着した液体は前記開口側保持窪みに向かって流れ、
前記容器は、
前記開口を備える縁部と、
底を備える下部と、
前記下部と前記縁部との間の中部とを備え、
前記開口は、飲み口であって、
前記開口側保持窪みは、前記縁部に形成され、
前記流路の幅は下方に向かうにしたがって狭くなり、
前記流路は、前記開口側保持窪みに連なっていることを特徴とする容器。
【請求項３】
液体を収容する収容空間と、前記収容空間の開口とが形成された容器であって、
前記容器の外面のうち、前記開口よりも下側に配され開口側吸水部材が装着可能な開口側保持窪みと、
前記開口と前記開口側保持窪みとの間の前記容器の外面に形成された流路と、
前記容器の前記開口側保持窪みに着脱自在に装着可能な吸水部材と、を備え、
前記吸水部材は、紐状部又は球状部を備え、
前記流路に付着した液体は前記開口側保持窪みに向かって流れ、
前記容器は、
前記開口を備える縁部と、
底を備える下部と、
前記下部と前記縁部との間の中部とを備え、
前記開口は、飲み口であって、
前記開口側保持窪みは、前記縁部に形成され、
前記開口側保持窪みの開口縁は、前記開口側保持窪みの中間部よりも突出することを特徴とする容器。
【手続補正２】
【補正対象書類名】明細書
【補正対象項目名】０００６
【補正方法】変更
【補正の内容】
【０００６】
本発明は、液体を収容する収容空間と、前記収容空間の開口とが形成された容器であって、前記容器の外面のうち、前記開口よりも下側に配され開口側吸水部材が装着可能な開口側保持窪みと、前記開口と前記開口側保持窪みとの間の前記容器の外面に形成された流路と、前記容器の前記開口側保持窪みに着脱自在に装着可能な吸水部材と、を備え、前記吸水部材は、紐状部又は球状部を備え、前記流路は、前記容器の外面に対して凹むように形成されるとともに、前記開口から前記開口側保持窪みに向かうように延び、前記流路に付着した液体は前記開口側保持窪みに向かって流れ、前記容器は、前記開口を備える縁部と、底を備える下部と、前記下部と前記縁部との間の中部とを備え、前記開口は、飲み口であって、前記開口側保持窪みは、前記縁部に形成され、前記流路は前記開口に対して連なっていることを特徴とする。また、本発明は、液体を収容する収容空間と、前記収容空間の開口とが形成された容器であって、前記容器の外面のうち、前記開口よりも下側に配され開口側吸水部材が装着可能な開口側保持窪みと、前記開口と前記開口側保持窪みとの間の前記容器の外面に形成された流路と、前記容器の前記開口側保持窪みに着脱自在に装着可能な吸水部材と、を備え、前記吸水部材は、紐状部又は球状部を備え、前記流路に付着した液体は前記開口側保持窪みに向かって流れ、前記容器は、前記開口を備える縁部と、底を備える下部と、前記下部と前記縁部との間の中部とを備え、前記開口は、飲み口であって、前記開口側保持窪みは、前記縁部に形成され、前記流路の幅は下方に向かうにしたがって狭くなり、前記流路は、前記開口側保持窪みに連なっていることを特徴とする。さらに、本発明は、液体を収容する収容空間と、前記収容空間の開口とが形成された容器であって、前記容器の外面のうち、前記開口よりも下側に配され開口側吸水部材が装着可能な開口側保持窪みと、前記開口と前記開口側保持窪みとの間の前記容器の外面に形成された流路と、前記容器の前記開口側保持窪みに着脱自在に装着可能な吸水部材と、を備え、前記吸水部材は、紐状部又は球状部を備え、前記流路に付着した液体は前記開口側保持窪みに向かって流れ、前記容器は、前記開口を備える縁部と、底を備える下部と、前記下部と前記縁部との間の中部とを備え、前記開口は、飲み口であって、前記開口側保持窪みは、前記縁部に形成され、前記開口側保持窪みの開口縁は、前記開口側保持窪みの中間部よりも突出することを特徴とする。